(57)【要約】【課題】一度の操作により各装置に電源を投入することができ、又、電源を投入しない場合は製品の待機電力も低減させることができるテーブルタップ及び上記テーブルタップを使用した録画再生システムを提供する。【解決手段】録画再生システムを構成する、再生装置３０、記録装置２０、及びテーブルタップ１０はＨＤＭＩ規格に順ずるケーブル４０により互いに接続されている。また、テーブルタップ１０は、接続された装置への電源の供給を切り替える切り替え手段を有し、記録装置２０は、制御部により記録装置の主電源を入力する際、ケーブル４０を通じて切り替え手段を制御することで記録装置の電源ケーブル６０へ電源を供給させ、その後、ＨＤＭＩケーブルを通じて再生装置３０のメイン電源を投入させる。【選択図】図１
2009260730.tif 000002
【特許請求の範囲】
【請求項１】
データを再生する再生装置及び前記データを記録する記録装置の電源ケーブルをテーブルタップに接続して、前記再生装置及び前記記録装置に電源を供給する録画再生システムにおいて、
前記再生装置、前記記録装置、及び前記テーブルタップとはＨＤＭＩ規格に順ずるＨＤＭＩケーブルにより互いに接続され、
前記テーブルタップは、前記接続された再生装置の電源ケーブルへの電源の供給を切り替える切り替え手段を有し、
前記記録装置は、電源を投入した後、前記ＨＤＭＩケーブルを通じて前記切り替え手段を制御することで前記再生装置の電源ケーブルへ電源を供給させ、その後、前記ＨＤＭＩケーブルを通じて前記再生装置のメイン電源を投入させる制御部を有することを特徴とする録画再生システム。
【請求項２】
前記制御部は、前記ＨＤＭＩケーブルを通じてＣＥＣ規格に順ずる制御命令を送信するＨＤＭＩ送信手段を有し、
前記再生装置は、前記ＨＤＭＩケーブルを通じて前記ＨＤＭＩ送信手段から送信される前記制御命令を受信して、電源を投入する第一のＨＤＭＩ受信手段を有し、
前記テーブルタップは、前記ＨＤＭＩケーブルを通じて前記ＨＤＭＩ送信手段から送信される前記制御命令を受信して、前記切り替え手段を切換える第二のＨＤＭＩ受信手段を有することを特徴とする請求項１に記載の録画再生システム。
【請求項３】
前記切り替え手段は、前記制御命令により接点を切り替えることで前記電源ケーブルへ供給する電源を切り替えるリレースイッチを有することを特徴とする請求項１又は請求項２に記載の録画再生システム。
【請求項４】
前記テーブルタップは、前記ＨＤＭＩ受信手段を駆動させる駆動電圧を生成するに際し、商用電源を前記ＨＤＭＩ受信手段の駆動電圧に変圧する電源変換手段を有することを特徴とする請求項２又は請求項３のいずれかに記載の録画再生システム。
【請求項５】
前記制御部は、前記ＨＤＭＩケーブルを通じてＣＥＣ規格に順ずる制御命令を送信するＨＤＭＩ送信手段を有し、
前記再生装置は、前記ＨＤＭＩケーブルを通じて前記ＨＤＭＩ送信手段から送信される前記制御命令を受信して、主電源を投入する第一のＨＤＭＩ受信手段を有し、
前記切り替え手段は、前記制御命令により接点を切り替えることで前記電源ケーブルへ供給する電源を切り替えるリレースイッチを有し、
前記テーブルタップは、
前記ＨＤＭＩケーブルを通じて、前記ＨＤＭＩ送信手段から送信される前記制御命令を受信して、リレースイッチを切換えて前記プラグへ電源を供給する第二のＨＤＭＩ受信手段と、
前記ＨＤＭＩ受信手段を駆動させる駆動電圧を生成するに際し、商用電源を前記ＨＤＭＩ受信手段の駆動電圧に変圧する電源変換手段とを有することを特徴とする請求項１に記載の録画再生システム。
【請求項６】
プラグと接続するプラグ差込部を備え、このプラグ差込部を介して接続した機器に電源を供給するテーブルタップであって、
前記プラグ差込部に接続された機器への電源の供給を切換える切り替え手段と、
ＨＤＭＩ規格に順ずるＨＤＭＩケーブルを通じて送信される制御命令を受信し、この制御命令に基づいて前記切り替え手段を切換えるＨＤＭＩ受信手段とを有することを特徴とするテーブルタップ。
【発明の詳細な説明】
【技術分野】
【０００１】
本発明は、プラグと接続するプラグ差込部を備え、このプラグ差込部に接続した機器に電源を供給するテーブルタップ、及び前記テーブルタップを使用する録画再生システムに関するものである。
【背景技術】
【０００２】
近年、エネルギーを有効に使用する等の観点から家電製品の省電力化が進んでいる。家電製品は、電源を投入していない場合でも、外部からの制御命令を受け付けるために制御部等が起動しており、このため僅かではあるが待機電力が消費されている。
【０００３】
例えば、待機電力を低減するために、タップ内に各コンセント（エレクトリック・アウトレット）への電源の供給を切り替えるスイッチを設け、このスイッチをリモコン装置等により遠隔操作する技術が開示されている（例えば、特許文献１参照。）。
【０００４】
また、電源ソケットに接続された電源プラグを通じて電源の供給を受ける機器に対して、この電源ソケットに接続された電灯線に重畳される信号によって電源プラグを通じて供給される電源を遮断する技術が開示されている（例えば、特許文献２参照。）。
【０００５】
さらには、テーブルタップの各コンセントから供給する電源のオン／オフをリモコン装置等を用いて遠隔操作する技術が開示されている（例えば、特許文献３参照。）。
【特許文献１】特開２００４−３３６８９６号公報
【特許文献２】特開２００４−３０９３０号公報
【特許文献３】特開２００３−１３３００９号公報
【発明の開示】
【発明が解決しようとする課題】
【０００６】
特許文献１及び３に係る発明では、家電製品を起動させるためにユーザはリモコン装置等を用いた２度の操作が必要となる。つまり、一度目の操作で商用電源から電源タップ（テーブルタップ）への電源を投入させ家電製品に電源を供給した後、再度家電製品の主電源を投入する必要が生じる。そのため、ユーザは家電製品に電源を投入するために２度の操作を必要とし、煩わしい思いをさせてしまう。
【０００７】
また、特許文献２の発明では、電灯線に信号を重畳させるシステムを前提としており、電灯線の改造等を必要とし、安易に採用できるものではない。
【０００８】
本発明は、上記課題に鑑みてなされたもので、簡単な操作により製品に電源を投入することができ、且、電源を投入しない場合は製品の待機電力も低減させることができるテーブルタップ及び上記テーブルタップを使用した録画再生システムの提供を目的とする。
【課題を解決するための手段】
【０００９】
上記課題を解決するために、本発明の一局面では、データを再生する再生装置及び前記データを記録する記録装置の電源ケーブルをテーブルタップに接続して、前記再生装置及び前記記録装置に電源を供給する録画再生システムにおいて、前記再生装置、前記記録装置、及び前記テーブルタップとはＨＤＭＩ規格に順ずるＨＤＭＩケーブルにより互いに接続され、前記テーブルタップは、前記接続された再生装置の電源ケーブルへの電源の供給を切り替える切り替え手段を有し、前記記録装置は、電源を投入した後、前記ＨＤＭＩケーブルを通じて前記切り替え手段を制御することで前記再生装置の電源ケーブルへ電源を供給させ、その後、前記ＨＤＭＩケーブルを通じて前記再生装置のメイン電源を投入させる制御部を有する。
【００１０】
上記のように構成された発明では、録画再生システムを構成する、再生装置、記録装置、及びテーブルタップはＨＤＭＩ規格に順ずるＨＤＭＩケーブルにより互いに接続されている。また、テーブルタップは、接続された装置への電源の供給を切り替える切り替え手段を有し、記録装置は、電源を投入する際、ＨＤＭＩケーブルを通じて切り替え手段を制御することで再生装置の電源ケーブルへ電源を供給させ、その後、ＨＤＭＩケーブルを通じて再生装置のメイン電源を投入させる。
そのため、ユーザ等は一度の操作で、録画再生システムを構成する再生装置及び記録装置に電源を投入することができ、且つ、電源を投入しない場合は商用電源からテーブルタップへ供給する電源を遮断するため、再生装置の待機電力をも低減させることができる。
【００１１】
好ましくは、前記制御部は、前記ＨＤＭＩケーブルを通じてＣＥＣ規格に順ずる制御命令を送信するＨＤＭＩ送信手段を有し、前記再生装置は、前記ＨＤＭＩケーブルを通じて前記ＨＤＭＩ送信手段から送信される前記制御命令を受信して、電源を投入する第一のＨＤＭＩ受信手段を有し、前記テーブルタップは、前記ＨＤＭＩケーブルを通じて前記ＨＤＭＩ送信手段から送信される前記制御命令を受信して、前記切り替え手段を切換える第二のＨＤＭＩ受信手段を有する。
上記のように構成された発明では、既存のＨＤＭＩ送信手段及び受信部を使用するため、普及品を用いて本願発明を構成することができる。
また、ＨＤＭＩ規格に準じた制御では、複数の装置を数珠繋ぎ（デージー・チェーン）にして、各部を制御することができるため、複数の装置を接続する場合でも、何ら改造を加えることなく本発明を実施することができる。
【００１２】
好ましくは、前記切り替え手段は、前記制御命令により接点を切り替えることで前記電源ケーブルへ供給する電源を切り替えるリレースイッチを有する。
上記のように構成された発明では、テーブルタップは、リレースイッチを用いて電源ケーブルへの電源の供給を切り替えるため、テーブルタップ内のノイズに対しても耐性が強く、誤動作を防止することができる。
【００１３】
好ましくは、前記テーブルタップは、前記ＨＤＭＩ受信手段を駆動させる駆動電圧を生成するに際し、商用電源を前記ＨＤＭＩ受信手段の駆動電圧に変圧する電源変換手段を有する。
上記のように構成された発明では、テーブルタップに供給される商用電源は、安定化されておらず、ＨＤＭＩ受信手段を駆動させるには安定化電源に変換する必要がある。そこで、電源変換部により商用電源を変換してＨＤＭＩ受信手段を駆動することでＨＤＭＩ受信手段を安定的に駆動させることができる。
【００１４】
本発明の他の局面として、前記制御部は、前記ＨＤＭＩケーブルを通じてＣＥＣ規格に順ずる制御命令を送信するＨＤＭＩ送信手段を有し、前記再生装置は、前記ＨＤＭＩケーブルを通じて前記ＨＤＭＩ送信手段から送信される前記制御命令を受信して、主電源を投入する第一のＨＤＭＩ受信手段を有し、前記切り替え手段は、前記制御命令により接点を切り替えることで前記電源ケーブルへ供給する電源を切り替えるリレースイッチを有し、前記テーブルタップは、前記ＨＤＭＩケーブルを通じて、前記ＨＤＭＩ送信手段から送信される前記制御命令を受信して、リレースイッチを切換えて前記プラグへ電源を供給する第二のＨＤＭＩ受信手段と、前記ＨＤＭＩ受信手段を駆動させる駆動電圧を生成するに際し、商用電源を前記ＨＤＭＩ受信手段の駆動電圧に変圧する電源変換手段とを有する。
【００１５】
本発明の他の局面として、プラグと接続するプラグ差込部を備え、このプラグ差込部に接続した機器に電源を供給するテーブルタップであって、前記プラグ差込部に接続された機器への電源の供給を切換える切り替え手段と、ＨＤＭＩ規格に順ずるＨＤＭＩケーブルを通じて送信される制御命令を受信し、この制御命令に基づいて前記切り替え手段を切換えるＨＤＭＩ受信手段とを有する。
【発明の効果】
【００１６】
以上説明したように本発明によれば、一度の操作により各装置を起動させることができ、又、待機電力も低減させることができる
また請求項２にかかる発明によれば、複数の装置を接続する場合でも、何ら改造を加えることなく本発明を実施することができる。
そして請求項３にかかる発明によれば、テーブルタップ内のノイズに対しても耐性が強く、誤動作を防止することができる。
さらに請求項４にかかる発明によれば、制御の安定性を高めることができる。
さらに請求項５のような、より具体的な構成において、上述した請求項２〜請求項４の各発明と同様の作用を奏することはいうまでもない。
【発明を実施するための最良の形態】
【００１７】
以下、図を参照しつつ下記の順序に従って本発明の実施形態を説明する。なお、同一の符号を付した箇所は同一及び相等の箇所を示し、その説明は繰返さない。
１．第一の実施の形態：
２．その他の実施の形態：
３．まとめ：
【００１８】
１．第一の実施の形態：
１．１．録画再生システムの構成：
図１は、本発明に係る録画再生システムを説明するブロック図である。録画再生システム１００は、データを記録する機能を備える記録装置２０と、データを再生する機能を備える再生装置３０と、記録装置２０及び再生装置３０の電源ケーブル６０，６１に電源を供給する機能を備えるテーブルタップ１０とを備えている。記録装置２０、再生装置３０、及びテーブルタップ１０との間はＨＤＭＩ（High-Definition Multimedia Interface）規格に順ずるケーブル（ＨＤＭＩケーブル）４０により互いに接続されており、このケーブル４０を通じてデータ及び制御信号の受け渡しを行なう。
【００１９】
具体的には、録画再生システム１００は、データの伝送をＴＭＤＳ（Transition Minimized Differential Signaling）、データの暗号化をＨＤＣＰ（High-bandwidth Digital Content Protection）、機器間認証をＥＤＩＤ(Extended display identification data)、系全体の制御系接続をＣＥＣ（Consumer Electronics Control）でそれぞれ実行する。
【００２０】
記録装置２０は、例えば、ＨＤＤ（Hard Disk Drive）若しくは所定の記録メディアにデータを記憶する機能を備える録画装置や、音声データを記録するレコーダ等である。また、再生装置３０は、例えば、ディスプレイ、又はテレビジョン受信機である。
【００２１】
本録画再生システム１００では、ユーザ等がリモコン装置５０を操作して電源の投入を操作すると、まず、記録装置２０はリモコン装置５０からの制御コマンドを受信して自己の主電源を投入する。次に、記録装置２０は、ＣＥＣ規格に準じてケーブル４０を通じて送信される制御命令によりテーブルタップ１０に商用電源４００から再生装置３０の電源ケーブル６１への電源を供給させる。次に、記録装置２０は、ケーブル４０を通じて送信される制御命令により再生装置３０にメイン電源を投入させる。
【００２２】
このため、ユーザ等はリモコン装置５０を操作することで、記録装置２０及び再生装置３０の主電源の投入を制御することができるとともに、この主電源の投入に準じて電源（商用電源から供給される電源）のオン／オフを切り替えることができ、再生装置３０の待機電力を低減し、録画再生システム１００全体での消費電力を低減させることができる。
【００２３】
以下に、録画再生システム１００を構成する各装置をより詳細に説明する。
図２は、記録装置２０の構成を説明するブロック図である。記録装置２０は、ケーブル４０を通じて送受信されるＨＤＭＩ規格に準じたデータ及び制御命令を送信するＨＤＭＩ送信部（ＨＤＭＩ送信手段）２１と、記録装置２０の駆動を制御する機能を備えるマイクロコンピュータ２２と、リモコン装置５０から送信された制御コマンドを受信して、マイクロコンピュータ２２に上記制御コマンドに基づく制御命令を出力する機能を備えるリモコン受信部２３と、電源ケーブル６０を通じて供給される電源を安定化電源に変換して各部に供給する機能を備える電源部２４と、データを記録する機能を備えるメモリ２５と、メモリ２５へのアクセスを制御するメモリ制御部２６とを備えている。
【００２４】
マイクロコンピュータ２２は、記録装置２０の駆動を制御する機能を備えている。マイクロコンピュータ２２と、ＨＤＭＩ送信部２１及び電源部２４との間には制御バス２７，２８が備えられ、この制御バス２７を通じてマイクロコンピュータ２２からの制御命令をＨＤＭＩ送信部２１及び電源部２３に送信する。また、マイクロコンピュータ２２は、リモコン受信部２３から送信される制御コマンドを受信して、この制御コマンドを解析する機能を備える受信コマンド解析部２２ａと、前記解析結果に基づいて、ＨＤＭＩ送信部２１に制御バス２７を通じて制御命令を送信する機能を備える送信部制御部２２ｂと、計時機能を備えるタイマー部２２ｃとを備えている。
【００２５】
ＨＤＭＩ送信部２１は、ＨＤＭＩ規格により規定されたプロトコルに従ってデータ及び制御命令をケーブル４０を通じて再生装置３０又はテーブルタップに送信する。ＨＤＭＩ送信部２１はデータをＴＭＤＳによりケーブル４０におけるデータチャンネル４１から送信する機能の他、ケーブル４０を通じて接続された各装置に対して、ＣＥＣ規格に基づく制御命令を制御チャンネル４２，４３から送信する機能を備えている。
なお、後述するＨＤＭＩ受信部３１，１１も実質的には、ＨＤＭＩ送信部２１と同様の機能を備えており、同一機能についてはその説明を省略する。また、ＨＤＭＩ規格に準じた各プロトコルは公知技術であるためここでは説明を省略する。
【００２６】
図３は、再生装置３０の構成を説明するブロック図である。再生装置３０は、ケーブル４０を通じて制御命令及びデータを受信し、上記受信した制御命令及びデータを各部に送信する機能を備えるＨＤＭＩ受信部（ＨＤＭＩ受信手段）３１と、再生装置３０の駆動を制御する機能を備えるマイクロコンピュータ３２と、電源ケーブル６１を通じて供給される電源を安定化電源に変換して各部に供給する機能を備える電源部３３と、取得したデータに画像処理等の信号処理を施す機能を備える信号処理部３４と、データに基づいて画像を表示する機能を備えるディスプレイモジュール３９とを備えてる。
【００２７】
ＨＤＭＩ受信部３１とマイクロコンピュータ３２との間には、制御バス３５が備えられている。また、ＨＤＭＩ受信部３１と信号処理部３４との間には、データバス３６が備えられている。さらに、ＨＤＭＩ受信部３１は、ケーブル４０におけるデータチャンネル４１を介して送信されるデータをデータバス３６を通じて信号処理部３４に送信する機能を備えるデータ送受信部３１ａと、ケーブル４０における制御チャンネル４２を介して送信される制御命令を受信して、この制御命令に基づいて再生装置３０へ制御バス３５を通じての制御命令を送信する機能、及び前記データ送受信部３１ａを制御する機能を備える命令受信部３１ｂとを備えている。
【００２８】
マイクロコンピュータ３２と電源部３３及び信号処理部３４との間には、制御バス３７，３８が備えられている。また、マイクロコンピュータ３２は、ＨＤＭＩ受信部３１から制御バス３５を通じて送信される制御命令を解析する機能を付与する制御命令解析部３２ａを備えている。マイクロコンピュータ３２は、この制御命令により制御バス３７を介して電源部３３の制御及び制御バス３８を介して信号処理部３４の制御を実行する。
【００２９】
図４は、テーブルタップ１０の構成を説明するブロック図である。テーブルタップ１０は、ケーブル４０における制御チャンネル４３を通じて送信される制御命令を受信し、この制御命令に基づいて制御信号を出力する機能を備えるＨＤＭＩ受信部１１と、再生装置３０の電源部３３と接続した電源ケーブル６１と接続する第一コンセント１２と、記録装置２０の電源部２４と接続した電源ケーブル６０と接続する第二コンセント１３と、商用電源４００から第一コンセント１２への電源の供給を切り替える機能を備えるリレースイッチ（切り替え手段）１４と、ＨＤＭＩ受信部１１から出力される制御信号に基づいてリレースイッチ１４のオン／オフを切り替える機能を備えるマイクロコンピュータ１５と、商用電源４００から供給された交流電源を整流し、この整流した電源をＨＤＭＩ受信部１１とマイクロコンピュータ１５とへ供給する機能を備える整流変換部（電源変換手段）１６とを備えている。
【００３０】
ＨＤＭＩ受信部１１とマイクロコンピュータ１５との間には、制御バス１７が設けられている。また、ＨＤＭＩ受信部１１は、ケーブル４０における制御チャンネル４３から送信された制御コマンドを受信し、この制御コマンドに基づいてマイクロコンピュータ１５に制切り替え制御命令を送信する制御命令解析部１１ａを備えている。
【００３１】
マイクロコンピュータ１５とリレースイッチ１４との間には、制御バス１８が設けられている。また、マイクロコンピュータ１５は、制御バス１７を通じて入力された切り替え制御命令を受信して、制御バス１８を通じてリレースイッチ１４のオン・オフを切り替える切り替え信号を出力する切り替え信号送信部１５ａを備えている。
【００３２】
リレースイッチ１４は、入力端子１４ａで商用電源４００と電源ライン１９を介して接続され、出力端子１４ｂで第一コンセント１２の各プラグ差込部に接続されている。また、リレースイッチ１４のコイル１４ｃは制御バス１８と接続されている。そのため、マイクロコンピュータ１５から制御バス１８を通じて切り替え信号がリレースイッチ１４のコイル１４ｃに入力すると、入力端子１４ａと出力端子１４ｂとを導通し、電源ライン１９から供給される電源を第一コンセント１２に供給する。
【００３３】
１．２．録画再生システムの作用・効果
以下に本録画再生システム１００の作用・効果を説明する。図５は、リモコン装置５０を操作して記録装置２０の電源を投入する際、各装置が実行する処理を説明する流れ図である。ユーザ等が記録装置２０のリモコン装置５０における電源投入キーを操作すると、記録装置２０のリモコン受信部２３は、リモコン装置５０から送信される制御コマンドを受信する。リモコン受信部２３は、マイクロコンピュータ２２に電源投入を命令する（ステップＳ２００）。
【００３４】
マイクロコンピュータ２２は、記録装置３０の起動処理を実行する（ステップＳ２１０）。具体的には、マイクロコンピュータ２２は、電源部２４に対して各部に電源を供給するよう命令する。その後、マイクロコンピュータは、内部に記録されたプログラム等を読み出し所定の起動処理を実行する。
【００３５】
マイクロコンピュータ２２は、制御バス２７を介してＨＤＭＩ送信部２１にテーブルタップ１０のリレースイッチ１４の切り替えを命令する（ステップＳ２２０）。ＨＤＭＩ送信部２１は、上記命令を受けて、制御チャンネル４３を介してテーブルタップ１０に切り替え命令を送信する。
【００３６】
テーブルタップ１０では、ＨＤＭＩ受信部１１が切り替え命令を制御チャンネル４３を介して受信する（ステップＳ１００）と、ＨＤＭＩ受信部１１はマイクロコンピュータ１５にリレースイッチ１４を切り替えるよう制御バス１７を通じて命令する（ステップＳ１１０）。マイクロコンピュータ１５はリレースイッチ１４に制御バス１８を通じて切り替え信号を送信する。リレースイッチ１４では上記切り替え信号によりオン状態となり、商用電源４００から供給された電源が第一コンセント１２に供給される。
【００３７】
記録装置２０では、ステップＳ２２０の処理の後、ＨＤＭＩ送信部２１は再生装置３０に対して主電源を投入するよう制御チャンネル４２を通じて命令する（ステップＳ２４０）。このとき、ステップＳ２２０での処理とステップＳ２３０での処理との間は、タイマー部２２ｃにより計測された時間を用いて遅延するものであってもよい。
記録装置２０は、第二コンセント１３からすでに電源を供給されており、マイクロコンピュータ２２は通常動作に移行するよう制御を行なう（ステップＳ２４０）。
【００３８】
再生装置３０では、ＨＤＭＩ受信部３１が制御チャンネル４２を通じて主電源を投入する命令を受け付けると、マイクロコンピュータ３２に対して主電源投を投入するよう制御バス３５を通じて命令する（ステップＳ３００）。マイクロコンピュータ３２は電源部２４に対して各部へ電源を供給するよう制御バス３７を通じて命令を出す。これにより再生装置３０は通常動作へ移行する（ステップＳ３２０）。
これにより、録画再生装置１００を構成する記録装置２０、再生装置３０とは通常動作移行する。
【００３９】
２．その他の実施の形態：
上述した、録画再生システム１００では、再生装置３０が録画再生システム１００の起動を制御したが、これに限定されない。例えば、再生装置３０側にＨＤＭＩ送信部を備え、再生装置３０が録画再生システム１００の起動を制御してもよい。
【００４０】
また、起動を制御させる装置の数は１つに限定されない。図６は、変形例としての録画再生システム１００の構成を説明するブロック図である。ＨＤＭＩ規格に順ずる制御は、複数の装置を数珠つなぎ（デージー・チェーン）で接続して、各装置を制御することが可能であり、例えば、記録部の制御に基づいて複数の再生装置の起動制御を行なう構成としてもよい。
【００４１】
さらに、テーブルタップ１０の切り替え手段の構成はリレースイッチに限定されない。所定の信号に基づいて、第一のコンセントに供給する電源を切り替えるものであればよい。
【００４２】
３．まとめ：
以上説明したように、本録画再生システム１００では、リモコン装置５０等による電源投入命令により、テーブルタップ１０による商用電源４００から再生装置へ電源を供給し、その後、再生装置３０に対して主電源を投入させるため、再生装置等の待機電力をも削減することができ、システム全体での消費電力を低減させることができる。
【００４３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４４】
【図１】本発明に係る録画再生システムを説明するブロック図である。
【図２】記録装置２０の構成を説明するブロック図である。
【図３】再生装置３０の構成を説明するブロック図である。
【図４】テーブルタップ１０の構成を説明するブロック図である。
【図５】リモコン装置５０を操作して記録装置２０の電源を投入する際、各装置が実行する処理を説明する流れ図である。
【図６】変形例としての録画再生システム１００の構成を説明するブロック図である。
【符号の説明】
【００４５】
１０…テーブルタップ、１１…ＨＤＭＩ受信部、１１ａ…制御命令解析部、１２…第一コンセント、１３…第二コンセント、１４…リレースイッチ、１４ａ…入力端子、１４ｂ…出力端子、１４ｃ…コイル、１５…マイクロコンピュータ、１５ａ…切り替え信号送信部、１６…整流変換部、１７，１８…制御バス、１９…電源ライン、２０…記録装置、２１…ＨＤＭＩ送信部、２２…マイクロコンピュータ、２２ａ…受信コマンド解析部、２２ｂ…送信部制御部、２２ｃ…タイマー部、２３…リモコン受信部、２４…電源部、２５…メモリ、２６…メモリ制御部、２７…制御バス、３０…再生装置、３１…ＨＤＭＩ受信部、３１ａ…データ送受信部、３１ｂ…命令受信部、３２…マイクロコンピュータ、３２ａ…制御命令解析部、３３…電源部、３４…信号処理部、３５…制御バス、３６…データバス、３７…制御バス、３８…制御バス、４０…ケーブル、４１…データチャンネル、４２，４３…制御チャンネル、５０…リモコン装置、１００…録画再生システム、４００…商用電源
【図１】
2009260730.tif 000003
【図２】
2009260730.tif 000004
【図３】
2009260730.tif 000005
【図４】
2009260730.tif 000006
【図５】
2009260730.tif 000007
【図６】
2009260730.tif 000008